(57)【要約】【課題】簡単な構成で高輝度ＬＥＤの交換を容易にできかつ平面光を効率よく照射できる照明装置を提供する。【解決手段】複数の高輝度ＬＥＤ１０〜１０をその光放射方向１２を揃えて支持板１４に設け、この支持板１４を囲んで反射体１６を取付け、前記反射体１６は、高輝度ＬＥＤ１０〜１０の配列方向の垂直方向断面が光放射方向１２に沿って高輝度ＬＥＤ１０〜１０近傍よりも先方が開く概略ハの字形状であって、内側の反射面が凸面鏡に形成されている。【選択図】図３
0003144220.tif 000002
【実用新案登録請求の範囲】
【請求項１】
複数の高輝度ＬＥＤをその光放射方向を揃えて支持板に設け、この支持板を囲んで反射体を取付けた照明装置において、
前記反射体は、高輝度ＬＥＤの配列方向の垂直方向断面が光放射方向に沿ってＬＥＤ近傍よりも先方が開く概略ハの字形状であって、内側の反射面が凸面鏡に形成されていることを特徴とする照明装置。
【請求項２】
反射体の反射面は、複数の高輝度ＬＥＤからの放射光を反射して先方側に１３０°〜１６０°の範囲を照射可能にするものであることを特徴とする請求項１に記載の照明装置。
【請求項３】
支持板に複数の高輝度ＬＥＤが複数列配列された光源モジュールには、この高輝度ＬＥＤの配列方向両側を覆うように対の反射体が設けられていることを特徴とする請求項１または２に記載の照明装置。
【請求項４】
対の反射体の高輝度ＬＥＤ近傍部分は、支持板の前記光放射方向反対側面を回り込んで連続しており、対の反射体および高輝度ＬＥＤ近傍部分の全体が単一であって鏡面反射面の有る金属板材を折り曲げて形成されていることを特徴とする請求項３に記載の照明装置。
【請求項５】
照明装置は外周部が枠体によって構成され、光源モジュールおよび対の反射体は、この枠体に対して螺合または係合によって着脱可能に取付けられていることを特徴とする請求項３に記載の照明装置。
【請求項６】
光源モジュールは、全体で色温度３０００〜５０００（Ｋ）であって少なくとも５（ｗ）の発光出力のものであることを特徴とする請求項３に記載の照明装置。
【考案の詳細な説明】
【技術分野】
【０００１】
本考案は、高輝度ＬＥＤ（発光ダイオード）を光源とした照明装置に関する。
【背景技術】
【０００２】
従来、照明器具としては、蛍光灯や白熱電球、水銀灯等の放電灯等の各光源を照明器具に利用されている。
【０００３】
白熱電球のように発光以外に熱エネルギーが放散する等、エネルギー効率が悪いため、通常、エネルギー効率の良い蛍光灯が室内照明に利用され、また、水銀灯が室外の街路照明に利用されている。
【０００４】
ただし、蛍光灯や水銀灯では、紫外線等の被照射物に影響する波長成分を含むのでその波長成分を除くのにフィルタを用いる必要があり、照明場所によっては制限されるものである。
【０００５】
昨今では、発熱や消費電力の少なさや、ＬＥＤ光源が注目され、高輝度なＬＥＤ（高輝度ＬＥＤ）も開発されており、それを照明ユニットに利用することが提案されている（特開２００７−０６６６５９号公報：特許文献１）。
【０００６】
特許文献１の照明装置は多色混合方式による発行ダイオードを光源にしたものが示されており、これは、ＬＥＤの配列方向両側に、放物面の第１反射部と平板状の反射面の第２反射部を光出射側に配列している。
【０００７】
しかしながら、この特許文献１の照明装置では、指向性の強いＬＥＤを平行光にして出射しており、反射部を梨地肌にして乱反射させても平面光の照明を実現することが困難である。
【０００８】
また、平面光を得るために導光体とケーシング内にＬＥＤを配設して、導光体に所定割合で光を反射させる放射側反射手段を設けて、導光体の一部から光放射して平面光を得るようにした面照明装置が提案されている（特開２１００８−２７８８６号公報：特許文献２）。
【０００９】
しかしながら、ＬＥＤを導光体とケーシング内に収納するので、ＬＥＤの取付け・取り外しが不便であり、照明光の強さの変更や保守のためにＬＥＤを交換する際に、いちいち正面装置自体を取り外す必要があり、極めて不便である。
【特許文献１】特開２００７−０６６６５９号公報
【特許文献２】特開２００８−２７８８６号公報
【考案の開示】
【考案が解決しようとする課題】
【００１０】
本考案は、斯かる実情に鑑み、簡単な構成で高輝度ＬＥＤの交換を容易にできかつ平面光を効率よく照射できる照明装置を提供しようとするものである。
【課題を解決するための手段】
【００１１】
本考案は照明装置に係るものである。
【００１２】
本考案は、複数の高輝度ＬＥＤをその光放射方向を揃えて支持板に設け、この支持板を囲んで反射体を取付けた照明装置において、
前記反射体は、高輝度ＬＥＤの配列方向の垂直方向断面が光放射方向に沿って高輝度ＬＥＤ近傍よりも先方が開く概略ハの字形状であって、内側の反射面が凸面鏡に形成されていることを特徴とする照明装置である。
【００１３】
本考案において、反射体の反射面は、複数の高輝度ＬＥＤからの放射光を反射して先方側に１３０°〜１６０°の範囲を照射可能にするものであることが好適である。
【００１４】
本考案において、支持板に複数の高輝度ＬＥＤが複数列配列された光源モジュールには、この高輝度ＬＥＤの配列方向両側を覆うように対の反射体が設けられていることが好適である。
【００１５】
本考案において、対の反射体の高輝度ＬＥＤ近傍部分は、支持板の前記光放射方向反対側面を回り込んで連続しており、対の反射体および高輝度ＬＥＤ近傍部分の全体が単一であって鏡面反射面の有る金属板材を折り曲げて形成されていることが好適である。
【００１６】
本考案において、照明装置は外周部が枠体によって構成され、光源モジュールおよび対の反射体は、この枠体に対して螺合または係合によって着脱可能に取付けられていることが好適である。
【００１７】
本考案において、光源モジュールは、全体で色温度３０００〜５０００（Ｋ）であって少なくとも５（ｗ）の発光出力のものであることが好適である。
【考案の効果】
【００１８】
本考案の照明装置によれば、反射体が、高輝度ＬＥＤの配列方向の垂直方向断面が光放射方向に沿って高輝度ＬＥＤ近傍よりも先方が開く概略ハの字形状であって、内側の反射面が凸面鏡に形成されているという簡単な構成で、広い範囲に光を照射できる照明装置を構成できる。特許文献２記載の面照明装置のように導光体のような複雑な構成を必要とせずかつ特許文献１記載の放物面鏡のような反射光を一方向に平行光に放射することなく、面状の光を広く放射することができ、広い範囲を万遍なく照らす照明ができる。
【００１９】
なお、本考案において、反射体の反射面は、複数の高輝度ＬＥＤからの放射光を反射して先方側に１３０°〜１６０°の範囲を照射可能にするものにすれば、特に広い範囲を照射するのに適切である。
【００２０】
また、本考案において、支持板に複数の高輝度ＬＥＤが複数列配列された光源モジュールには、この高輝度ＬＥＤの配列方向両側を覆うように対の反射体を設けるようにすれば、広い面積を多数の照明装置で照明するのに上記の配列方向およびその直角方向に間隔をおいて照明装置を整理して設置することができる。
【００２１】
本考案において、対の反射体の高輝度ＬＥＤ近傍部分は、支持板の前記光放射方向反対側面を回り込んで連続しており、対の反射体および高輝度ＬＥＤ近傍部分の全体が単一であって鏡面反射面の有る金属板材を折り曲げて形成されているものにすることによって、ステンレス等の表面が鏡面の金属板材を折り曲げプレス加工等によって、簡単かつ迅速に反射体を製造することができる。
【００２２】
本考案において、照明装置は外周部が枠体によって構成され、光源モジュールおよび対の反射体は、この枠体に対して螺合または係合によって着脱可能に取付けられていれば、光源モジュールや反射体を正面装置から交換作業が簡単である。
【００２３】
本考案において、光源モジュールは、全体で色温度３０００〜５０００（Ｋ）であって少なくとも５（ｗ）の発光出力のものであれば、紫外光を放射せず、紫外線劣化のある食品や衣料品等各種商品の劣化が生じないので、商品の照明光として適切であるという優れた効果を奏し得る。
【考案を実施するための最良の形態】
【００２４】
以下、本考案の実施形態を、添付図面を参照して説明する。
【００２５】
図１〜図３は本考案の実施形態に係る照明装置の説明図である。図１（ａ）、（ｂ）は、実施形態に係る照明装置の光放射方向から見た斜視図、支持板および反射体の分解組み立て状態説明図、図２（ａ）、（ｂ）、（ｃ）は、照明装置の光源モジュールの光放射方向の反対側から見た図、光放射方向から見た図、側面図、図３は光源モジュールの高輝度ＬＥＤの配列方向に垂直方向断面説明図である。
【００２６】
実施形態に係る照明装置は、図１〜図３に示すように、複数の高輝度ＬＥＤ１０〜１０をその光放射方向１２を揃えて支持板１４に設け、この支持板１４を囲んで反射体１６を取付けている。
【００２７】
前記反射体１６は、高輝度ＬＥＤ１０〜１０の配列方向の垂直方向断面が光放射方向１２に沿って高輝度ＬＥＤ１０〜１０近傍よりも先方が開く概略ハの字形状であって、内側の反射面が凸面鏡に形成されている。
【００２８】
前記反射体１６の反射面は、図３に示すように、複数の高輝度ＬＥＤ１０〜１０からの放射光を反射して先方側に１３０°〜１６０°の照射角度範囲θを照射可能にする。例えば反射体１６の反射面は二次曲線状に沿って開いている。
【００２９】
また、前記支持板１４に複数の高輝度ＬＥＤ１０〜１０が複数列配列された光源モジュール１８には、この高輝度ＬＥＤ１０〜１０の配列方向両側を覆うように対の反射体１６が設けられている。
【００３０】
また、対の反射体１６の高輝度ＬＥＤ１０〜１０近傍部分１６ａは、支持板１４の前記光放射方向１２反対側面を回り込んで連続しており、対の反射体１６および高輝度ＬＥＤ１０〜１０近傍部分の全体が単一であって鏡面反射面の有る金属板材をプレス加工等によって折り曲げて形成されている。
【００３１】
また、照明装置は外周部が矩形の枠体２０によって構成され、光源モジュール１８および対の反射体１６は、この枠体２０に対してネジ２２によって螺合し着脱可能に取付けられている。図３では、光源モジュール１８においては、支持板１４支持固定用のコ字形状のスペーサ１８ａが設けられ、そのスペーサ１８ａを反射体１６にネジ２２を螺合させて光源モジュール１８を取付けている例を示している。
【００３２】
なお、光源モジュール１８の枠体２０への取付けはその他、適宜の係合部材によって着脱可能に設けることもできる。また、光源モジュール１８は枠体２０へ１つ（１本）でも、３つ以上（例えば５本）設けてもよい。
【００３３】
具体的な光源モジュール１８は、一つ一つの高輝度ＬＥＤ１０〜１０が同一色温度または異なる色温度によって、全体で色温度３０００〜５０００（Ｋ）であれば好適である。また、一つ一つの高輝度ＬＥＤ１０〜１０は出力が５〜５０（Ｗ）、直流６〜１００（ｖ）であって、光源ユニット全体で１〜６個を１〜３列配設し、全体で少なくとも５（ｗ）の発光出力のものであることが好適である。
【００３４】
実施形態に係る照明装置において、光源モジュール１８は長さＬ＝４２０（ｍｍ）、幅Ｗ＝２０（ｍｍ）、高さＨ＝３（ｃｍ）である。また、光源モジュール１８を５本、枠体２０へ設けたもので出力３９（ｗ）光源モジュール１８を３本、枠体２０へ設けたもので出力２３，４（ｗ）であった。図１において、符号２４は光源モジュール１８の点灯用電源部（交流１００（ｖ）を直流２４（ｖ）への変換ユニット）である。
【００３５】
上記のように、上記した実施形態の照明装置によれば、反射体１６が、高輝度ＬＥＤ１０〜１０の配列方向の垂直方向断面が光放射方向１２に沿って高輝度ＬＥＤ１０〜１０近傍よりも先方が開く概略ハの字形状であって、内側の反射面が凸面鏡に形成されているという簡単な構成で、広い範囲に光を照射できる照明装置を構成できる。実施形態の照明装置によれば、上述した特許文献２記載の面照明装置のように導光体のような複雑な構成を必要とせず、かつ、特許文献１記載の放物面鏡のように反射光を一方向の平行光に放射することなく、面状の光を広く放射することができ、広い範囲を万遍なく照らす照明ができる。
【００３６】
また、反射体１６の反射面は、複数の高輝度ＬＥＤ１０〜１０からの放射光を反射して先方側に１３０°〜１６０°の範囲を照射可能にするので、特に広い範囲を照射するのに適切である。
【００３７】
また、支持板１４に複数の高輝度ＬＥＤ１０〜１０が複数列配列された光源モジュール１８には、この高輝度ＬＥＤ１０〜１０の配列方向両側を覆うように対の反射体１６を設けるので、広い面積を多数の照明装置で照明するのに上記の配列方向およびその直角方向に間隔をおいて照明装置を整理して設置することができる。
【００３８】
また、対の反射体１６の高輝度ＬＥＤ１０〜１０近傍部分は、支持板１４の前記光放射方向１２反対側面を回り込んで連続しており、対の反射体１６および高輝度ＬＥＤ１０〜１０近傍部分の全体が単一であって鏡面反射面の有る金属板材を折り曲げて形成されているので、ステンレス等の表面が鏡面の金属板材を折り曲げプレス加工等によって、簡単かつ迅速に反射体１６を製造することができる。
【００３９】
また、照明装置は外周部が枠体２０によって構成され、光源モジュール１８および対の反射体１６は、この枠体２０に対して螺合または係合によって着脱可能に取付けられていれば、光源モジュール１８や反射体１６を照明装置から交換作業が簡単である。
【００４０】
光源モジュール１８は、全体で色温度３０００〜５０００（Ｋ）であって少なくとも５（ｗ）の発光出力のものであるので、紫外光を放射せず、紫外線で劣化する可能性がある食品や衣料品等各種商品の劣化が生じないので、商品の照明光として適切であるという優れた効果を奏し得る。
【００４１】
尚、本考案の照明装置は、上記した実施の形態に限定されるものではなく、本考案の要旨を逸脱しない範囲内において種々変更を加え得ることは勿論である。
【図面の簡単な説明】
【００４２】
【図１】（ａ）、（ｂ）は、実施形態に係る照明装置の光放射方向から見た斜視図、支持板および反射体の分解組み立て状態説明図である。
【図２】（ａ）、（ｂ）、（ｃ）は、照明装置の光源モジュールの光放射方向の反対側から見た図、光放射方向から見た図、側面図である。
【図３】光源モジュールの高輝度ＬＥＤの配列方向に垂直方向断面説明図である。
【符号の説明】
【００４３】
１０  高輝度ＬＥＤ（発光ダイオード）
１２  光照射方向
１４  支持板
１６  反射体
１８  光源モジュール
２０  枠体
２２  ネジ（螺合手段）
２４  点灯用電源部
【図１】
0003144220.tif 000003
【図２】
0003144220.tif 000004
【図３】
0003144220.tif 000005
【手続補正書】
【提出日】平成20年6月10日(2008.6.10)
【手続補正１】
【補正対象書類名】明細書
【補正対象項目名】０００８
【補正方法】変更
【補正の内容】
【０００８】
また、平面光を得るために導光体とケーシング内にＬＥＤを配設して、導光体に所定割合で光を反射させる放射側反射手段を設けて、導光体の一部から光放射して平面光を得るようにした面照明装置が提案されている（特開２００８−２７８８６号公報：特許文献２）。